(57)【要約】  【課題】  作業者は踏み面の広い階段部上で作業でき作業性に優れると共に、階段部が梯子部の内側に配設されているので、踏み面が脚立の重心に近く安定性及び安全性に優れ、折畳み時には階段部を梯子部の間に格納してコンパクトにでき運搬性及び保管時の省スペース性に優れ、構造が簡単で生産性に優れる脚立の提供を目的とする。  【解決手段】  本発明の脚立１は、２本の縦材３とその間に架設された複数の横桟５とを各々有する一対の梯子部２ａ，２ｂと、梯子部２ａ，２ｂを開閉自在に連結する開閉連結部６と、を備えた脚立１であって、梯子部２ａが、一の横桟５の上面に前端部が固設され一の横桟５から内側に向けて形設された踏み板８ａ〜８ｄと、踏み板８ａ〜８ｄの内側端部から上方に向けて形設され上端部が一の横桟５より上方の他の横桟５に固設された蹴り上げ板９ａ〜９ｄと、を有する１段乃至複数段の階段部７を備えた構成を有する。【選択図】  図１
2006312867.tif 000002
【特許請求の範囲】
【請求項１】
２本の縦材と前記２本の縦材の間に架設された複数の横桟とを各々有する一対の梯子部と、前記一対の梯子部を上端部で開閉自在に連結する開閉連結部と、を備えた脚立であって、
前記一対の梯子部の内いずれか一方の前記梯子部が、一の前記横桟の上面に前端部が固設され前記一の横桟から内側に向けて形設された踏み板と、前記踏み板の内側端部から上方に向けて形設され上端部が前記一の横桟より上方の他の前記横桟に固設された蹴り上げ板と、を有する１段乃至複数段の階段部を備えていることを特徴とする脚立。
【請求項２】
前記階段部を備えた一方の前記梯子部の前記階段部の少なくとも一方の側部に配設され前記一対の梯子部を閉じた状態で他方の前記梯子部に当接するストッパ部を備えていることを特徴とする請求項１に記載の脚立。
【請求項３】
前記一対の梯子部の一側部又は両側部に架設され前記一対の梯子部を開いた状態及び閉じた状態で保持する開閉状態保持部を備え、
前記開閉状態保持部が、
前記一対の梯子部の前記縦材の所定部に対向して固設された一対の保持材軸着部と、
一端部が前記階段部を備えた一方の前記梯子部の前記保持材軸着部に軸着された第１の保持材と、
一端部が他方の前記梯子部の前記保持材軸着部に軸着され所定部に前記第１の保持材の他端部が軸着された第２の保持材と、
前記第１及び第２の保持材の所定部に各々穿設され前記一対の梯子部を開いた状態で重なって連通する開保持用固定孔と、
前記第１及び第２の保持材の所定部に各々穿設され前記一対の梯子部を閉じた状態で重なって連通する閉保持用固定孔と、
前記開保持用固定孔又は前記閉保持用固定孔に挿着される固定部材と、
を備えていることを特徴とする請求項１又は２に記載の脚立。
【請求項４】
２本の縦材と前記２本の縦材の間に架設された複数の横桟とを有する梯子部と、前記梯子部の上端部に開閉連結部を介して開閉自在に連結された支持脚部と、を備えた脚立であって、
前記梯子部が、一の前記横桟の上面に前端部が固設され前記一の横桟から内側に向けて固設された踏み板と、前記踏み板の内側端部から上方に向けて形設され上端部が前記一の横桟より上方の他の前記横桟に固設された蹴り上げ板と、を有する１段乃至複数段の階段部を備えていることを特徴とする脚立。
【請求項５】
前記階段部が、前記踏み板と前記蹴り上げ板とが交互に一体形成された階段状の板状部材により形成されていることを特徴とする請求項１乃至４の内いずれか１項に記載の脚立。
【請求項６】
前記階段部の最上段の天板部の側部に立設された手摺り部を備えていることを特徴とする請求項１乃至５の内いずれか１項に記載の脚立。
【発明の詳細な説明】
【技術分野】
【０００１】
本発明は、２本の縦材とその間に架設された複数の横桟とを各々有する一対の梯子部又は梯子部と支持脚部を上端部で開閉自在に連結した脚立に関するものである。
【背景技術】
【０００２】
従来、庭木の剪定や内装工事、装置の点検等の高所で作業する場合に、２本の縦材とその間に架設された複数の横桟とを各々有する一対の梯子部を上端部で開閉自在に連結した脚立や、梯子部の上端部に長尺棒状の支持脚部を連結した三脚の脚立が用いられている。これらの脚立を使用する際には、一対の梯子部又は支持脚部を所定角度で開いた状態で作業場所に設置し、梯子部を上って横桟に足を乗せ高所の作業を行う。しかしながら従来の脚立では、通常、横桟の奥行き長さが短く、足を乗せる面積が小さいため作業者は不安定な状態で作業を行っており、転落の不安により余計な注意力を払う必要があり作業性及び安全性に欠け多大な労力を費やしていた。
【０００３】
このような問題点を解決するために、特許文献１には「一対の梯子の上端部を蝶番の構造で連接し一定の角度内で開閉自在にした脚立であって、前記脚立のフレームの各対応する箇所に配設されたストッパー溝又はフックの掛金と、前記フレームの前記ストッパー溝又は前記フックの掛金の下方に突設された爪と、ヒンジで互いに回動自在に接続された踏板と蹴上げ板とを有する組立て足場と、前記踏板の前記フレームに接する辺の両端に配設されたガイド又はフックと、を備え、前記踏板の前記ガイド又は前記フックを前記ストッパー溝又は前記フックの掛金に嵌合すると共に前記蹴上げ板の下端部を前記フレームと前記爪との間に差し込んで、前記組立て足場を前記フレームに突出状に取り付けた脚立」が開示されている。
【０００４】
また、特許文献２には「２本のアルミ管の間に配設された階段と、前記階段の最上部に配設された作業床と、前記作業床を支持する複数の脚と、所定の前記脚に架設された揺れ止と、所定の前記脚の下部同士及び前記脚の下部と前記アルミ管の下部とを連結する開き止と、前記脚及び前記アルミ管の下端部に配設された滑り止と、を備え、前記アルミ管や前記脚等の各部材の節点が回転可能又は取り外し可能に構成された折畳み式簡易足場」が開示されている。
【０００５】
また、特許文献３には「前面上部に開口を有し内部に空所を有する台ユニットと、背部側に水平な枢支軸を有する階段ユニットと、を備え、前記枢支軸は前記開口の下辺近傍で前記台ユニットに枢着され、前記階段ユニットを回転自在として前記空所へ出し入れ自在とすると共に、前記台ユニットは前記空所に収容した前記階段ユニットを収容状態で保持するストッパと、を備えた折畳み式脚立」が開示されている。
【０００６】
また、特許文献４には「左右一対の前脚と、前記前脚の上端部に開閉可能に連結された左右一対の後脚と、前記前脚間に一端が回転可能に横設された複数の踏み板と、各々の前記踏み板の自由端部に枢着され前記前脚と平行に配設されたリンク部材と、前記後脚間に横設され開脚状態で前記踏み板を載置支持可能な横桟と、所定の前記踏み板の自由端部に一端部が枢着され他端部が前記横桟に枢着された開き止め部材とを備えた折畳み式脚立」が開示されている。
【０００７】
【特許文献１】実開昭６１−２０７００号公報
【特許文献２】実開昭６１−１２４５５２号公報
【特許文献３】実用新案登録第３０２２５２８号公報
【特許文献４】特開２００１−１４０５６８号公報
【発明の開示】
【発明が解決しようとする課題】
【０００８】
しかしながら、上記従来の技術では以下のような課題を有していた。
（１）特許文献１の「脚立」は、使用時に一々組立て足場をフレームに取り付けたり、保管時には梯子を折畳む作業と共に組立て足場を取り外したり所定位置にスライドさせたりしなければならず、準備作業等が煩雑で使用性に欠けるという課題を有していた。
（２）また、組立て足場がフレームの外側に突出して配設され脚立の重心から離れているので、作業者が組立て足場に乗った際にぐらついたり傾いたりし易く安定性に欠けるという課題を有していた。
（３）さらに、組立て足場を脚立の上段に取り付けた場合、作業者は、まず下段の梯子を上ってから組立て足場の踏板に乗ることになるが、特許文献１では、組立て足場がフレームの外側に突出しているので、作業者は一方の足を梯子に乗せた状態で他方の足を大きく上げ、組立て足場を越えて踏板に足を乗せなければならず、多大な労力を要したりバランスを崩して落下したりし易く、使用性及び安全性に欠けるという課題を有していた。
（４）また、ストッパー溝やフックの掛金にガイドやフックを嵌合したり爪に差し込んだりして組立て足場をフレームに取り付けるので、脚立がぐらついたり傾いたりした場合にガイドやフックが外れ易く安定性及び安全性に欠けるという課題を有していた。
（５）特許文献２の「折畳み式簡易足場」は、アルミ管、階段、作業床、脚、揺れ止、及び開き止等の多部材から構成され部品点数が多く折畳んでもコンパクトにできず重量も大きいので運搬性及び保管時の省スペース性に欠けるという課題を有していた。
（６）また、階段がアルミ管の外側に配設され簡易足場の重心から離れているので、作業者が階段を上り下りする際に階段の勾配によっては足場がぐらついたり傾いたりし易く安定性に欠けるという課題を有していた。
（７）特許文献３の「折畳み式脚立」は、台ユニットの前面で階段ユニットを縦方向に回転させて台ユニットの空所に出し入れするため、階段ユニットの段数が増加すると空所及び開口を大きく形成する必要があり大型化したり踏板の間隔が大きくなったりするため、多段数の脚立とすることができず、高所の作業を行うことができないという課題を有していた。
（８）特許文献４の「折畳み式脚立」では、各々の踏み板を前脚に枢着すると共にリンク部材や開き止め部材を踏み板や後脚等に枢着して構成されているため、部品点数が多く枢着箇所も多く構造が複雑で生産性に欠けると共に、脚立の開閉を繰り返すうちに枢着部分に早期に摩滅やガタが生じ、作業者が乗った踏み板がぐらついたり揺れたりするため作業時の安定性及び安全性に欠け、その結果作業に集中できず作業性に欠け、特に上段側の踏み板ほど、ぐらつきや揺れが大きくなるためせいぜい高さが１ｍ程度の脚立にしか対応できず高所作業用としては使用できないという課題を有していた。
（９）また、現在、上述したものを含めて種々の脚立が開発されており、一対の梯子部を有するもの（いわゆる四脚型）や三脚型、直線状にして梯子として使用できる兼用型等が開発、市販されているが、従来の脚立はいずれも使用性や安定性、安全性に欠け結果として脚立を用いた作業性が著しく低下し作業者にとって使い難く、また構造が複雑で生産性に欠ける等の多くの問題を有しており、これらの問題を解決する新規な脚立の開発が望まれている。
【０００９】
本発明は、上記従来の課題を解決するもので、作業者は踏み面の広い階段部上で作業でき作業性に優れると共に、階段部が梯子部の内側に配設されているので、踏み面が脚立の重心に近く安定性及び安全性に優れ、折畳み時には階段部を梯子部の間に格納してコンパクトにでき運搬性及び保管時の省スペース性に優れ、四脚型や三脚型、兼用型のいずれの脚立にも対応でき構造が簡単で生産性に優れる脚立を提供することを目的とする。
【課題を解決するための手段】
【００１０】
上記課題を解決するために本発明の脚立は、以下の構成を有している。
本発明の請求項１に記載の発明は、２本の縦材と前記２本の縦材の間に架設された複数の横桟とを各々有する一対の梯子部と、前記一対の梯子部を上端部で開閉自在に連結する開閉連結部と、を備えた脚立であって、前記一対の梯子部の内いずれか一方の前記梯子部が、一の前記横桟の上面に前端部が固設され前記一の横桟から内側に向けて形設された踏み板と、前記踏み板の内側端部から上方に向けて形設され上端部が前記一の横桟より上方の他の前記横桟に固設された蹴り上げ板と、を有する１段乃至複数段の階段部を備えた構成を有している。
【００１１】
この構成により、以下のような作用を有する。
（１）梯子部が踏み板と蹴り上げ板とを有する階段部を備えているので、作業者は広い踏み面を有する踏み板上に乗って安定した姿勢で高所の作業ができ、足を踏み外すことなく安全性に優れると共に、踏み板上に作業具や材料等を置くことができ、作業にかかる労力が少なく長時間の作業が可能で作業性に優れる。
（２）蹴り上げ板を有しているので、作業者は階段部を上り下りする際に、或いは階段部に乗って作業する際に内側（一対の梯子部間）に足を踏み外すことが全くなく、転落の不安による余計な注意力を払う必要がなく、落ち着いて作業することができる。
（３）蹴り上げ板を有し、踏み板にかかる荷重を蹴り上げ板と梯子部の横桟で支え荷重が分散されるので、耐荷重が大きく安全に種々の作業を行うことができる。
（４）踏み板が横桟から内側に向けて延設され階段部が梯子部の内側に配設されているので、踏み面が脚立の重心に近い位置に配設され、従来の脚立に比べ作業者が乗ってもぐらついたり傾いたり転倒したりし難く安定性及び安全性に優れる。
（５）階段部が梯子部の内側に配設されているので、折畳み時に階段部が梯子部の外側に大きく突出することなく階段部を一対の梯子部間に収容するためコンパクトで運搬性及び保管時の省スペース性に優れる。
【００１２】
ここで、脚立は略三角形状又は略台形状に設置して使用するものや、略三角形状等に設置して使用できると共に一対の梯子部を直線状にして家屋等の建造物に立てかけて使用できるものが用いられる。一対の梯子部や梯子部と支持脚部の長さを略同一として二等辺三角形状や等脚台形状に設置するようにしてもよく、互いに異なる長さにしてもよい。
一対の梯子部又は梯子部と支持脚部を略三角形状や略台形状、直線状等に設置するためには、一対の梯子部又は支持脚部の開角度が所定角度になるように保持する開状態保持部を設ける。開状態保持部としては、所定部で折り曲げ自在に形成された長尺状の保持材の一端部及び他端部を対向する一対の縦材の所定部に軸着し、梯子部間に架設したものや、一方の梯子部の縦材に一端が軸着され他端部に凹溝状や孔状、フック状の係合部を有する長尺板状部材や棒状部材、一端部を一方の梯子部に結着し他端部を他方の梯子部又は支持脚部に結着した紐状部材等が用いられる。折り曲げた開状態保持部を延ばして梯子部間に張ることで、又は紐状部材を張ることで、或いは開状態保持部を回動させ、その係合部を他方の梯子部の縦材に突設されたピン等の被係合部に係合し梯子部間に架設することで、一対の梯子部等を所定角度で保持することができる。なお、踏み板は開角度が所定角度で保持された状態で水平となるように配設される。これにより、作業者は踏み板上でバランスを崩したり踏み板に置いた作業具等が転がって落下したりすることなく安全且つ円滑に作業を行うことができる。
また、脚立には梯子部を閉じた状態で保持する開き止め等の閉状態保持部を設けることができる。或いは開状態保持部に替えて、梯子部を開状態及び閉状態で保持する開閉状態保持部を設けることもできる。
【００１３】
梯子部は、２本の縦材を略平行に形成したものであってもよく、安定性を高めるために２本の縦材の間隔を上部から下部へ向かって拡がるように形成したものであってもよい。
各梯子部の上端部には天板部が形成される。天板部の大きさは脚立の用途や設置スペースに応じて適宜設定することができる。天板部の幅を小さくすれば梯子部間の間隔が狭くなり狭い設置スペースにも設置でき、天板部の幅を大きくすれば作業者は作業具等を置いたりするスペースを広く取れ、また、２の脚立間に足場板を架設して脚立足場として用いる場合は、足場板を安定して架設することができる。また、天板部の幅を大きくすることにより梯子部間の間隔が拡がるので、梯子部を閉じた時であっても一方の梯子部に配設された階段部が他方の梯子部より外側にはみ出ることがなく、一対の梯子部の間に階段部を収容できる。
階段部は一対の梯子部の内、一方の梯子部の全部又は一部の横桟に配設される。階段部をいずれか一方の梯子部のみに形成することにより、一対の梯子部を閉じた時に梯子部同士が近接する場合、すなわち脚立の天板部が狭い場合や天板部が設けられていない場合であっても、階段部の背面側において踏み板と蹴り上げ板との連結部に形成される角部が、他方の梯子部の横桟の間の空間に挿入されるため、コンパクトに閉じることができる。なお、階段部を両方の梯子部に形成した場合であっても、一対の梯子部を閉じた時に一方の階段部と他方の階段部が重なり合うように配置すればコンパクトに閉じることができる。
踏み板や蹴り上げ板を横桟に固定する手段としては、溶接やビス止め、リベット止め等が用いられる。
蹴り上げ板には１乃至複数の開口部を形成することができる。これにより、強度を維持したまま軽量化を図ることができる。
梯子部や階段部には水準器を設けることができる。これにより、踏み板や横桟が水平になるように確認しながら容易に設置作業を行うことができ、脚立を安定して設置できる。
【００１４】
本発明の請求項２に記載の発明は、請求項１に記載の脚立であって、前記階段部を備えた一方の前記梯子部の前記階段部の少なくとも一方の側部に配設され前記一対の梯子部を閉じた状態で他方の前記梯子部に当接するストッパ部を備えた構成を有している。
【００１５】
この構成により、請求項１の作用に加え、以下のような作用を有する。
（１）一方の梯子部の階段部にストッパ部を備えているので、梯子部を閉じた時に他方の梯子部にストッパ部が当接し、梯子部同士の間隔を所定間隔に保つことができ、階段部に他方の梯子部の横桟等が接触することなく階段部に負荷がかかって変形したり傷付いたりするのを防止できる。
【００１６】
ここで、ストッパ部は梯子部の縦材と平行に配設された長尺部材を用いることができる。この場合、ストッパ部により階段部の側部を補強することができ、階段部の強度を高めることができる。また、縦材に沿って複数のストッパ部を配設し、梯子部を閉じた時に他方の梯子部に複数のストッパ部が一様に当接するようにしてもよい。
【００１７】
本発明の請求項３に記載の発明は、請求項１又は２に記載の脚立であって、前記一対の梯子部の一側部又は両側部に架設され前記一対の梯子部を開いた状態及び閉じた状態で保持する開閉状態保持部を備え、前記開閉状態保持部が、前記一対の梯子部の前記縦材の所定部に対向して固設された一対の保持材軸着部と、一端部が前記階段部を備えた一方の前記梯子部の前記保持材軸着部に軸着された第１の保持材と、一端部が他方の前記梯子部の前記保持材軸着部に軸着され所定部に前記第１の保持材の他端部が軸着された第２の保持材と、前記第１及び第２の保持材の所定部に各々穿設され前記一対の梯子部を開いた状態で重なって連通する開保持用固定孔と、前記第１及び第２の保持材の所定部に各々穿設され前記一対の梯子部を閉じた状態で重なって連通する閉保持用固定孔と、前記開保持用固定孔又は前記閉保持用固定孔に挿着される固定部材と、を備えた構成を有している。
【００１８】
この構成により、請求項１又は２の作用に加え、以下のような作用を有する。
（１）開閉状態保持部により一対の梯子部を開いた状態及び閉じた状態で保持できるので、脚立の設置時には踏み板が水平になるような角度で安定して保持でき安全且つ円滑に作業を行うことができると共に、脚立の収納時や搬送時には畳んだ状態で確実に保持でき持ち運びを容易且つ安全に行うことができる。
（２）梯子部の開状態及び閉状態において、保持材の連通する開保持用固定孔又は閉保持用固定孔に固定部材を挿着して開状態や閉状態を保持するのでガタが生じ難く、開状態や閉状態が強固に保持され、設置安定性に優れ脚立の階段部上での作業を安全且つ円滑に行うことができる。
【００１９】
本発明の請求項４に記載の発明は、２本の縦材と前記２本の縦材の間に架設された複数の横桟とを有する梯子部と、前記梯子部の上端部に開閉連結部を介して開閉自在に連結された支持脚部と、を備えた脚立であって、前記梯子部が、一の前記横桟の上面に前端部が固設され前記一の横桟から内側に向けて固設された踏み板と、前記踏み板の内側端部から上方に向けて形設され上端部が前記一の横桟より上方の他の前記横桟に固設された蹴り上げ板と、を有する１段乃至複数段の階段部を備えた構成を有している。
【００２０】
この構成により、以下のような作用を有する。
（１）梯子部が踏み板と蹴り上げ板とを有する階段部を備えているので、作業者は広い踏み面を有する踏み板上に乗って安定した姿勢で高所の作業ができ、足を踏み外すことなく安全性に優れると共に、踏み板上に作業具や材料等を置くことができ、作業にかかる労力が少なく長時間の作業が可能で作業性に優れる。
（２）蹴り上げ板を有しているので、作業者は階段部を上り下りする際に、或いは階段部に乗って作業する際に内側（一対の梯子部間）に足を踏み外すことが全くなく、転落の不安による余計な注意力を払う必要がなく、落ち着いて作業することができる。
（３）蹴り上げ板を有し、踏み板にかかる荷重を蹴り上げ板と梯子部の横桟で支え荷重が分散されるので、耐荷重が大きく安全に種々の作業を行うことができる。
（４）踏み板が横桟から内側に向けて延設され階段部が梯子部の内側に配設されているので、踏み面が脚立の重心に近い位置に配設され、従来の脚立に比べ作業者が乗ってもぐらついたり傾いたり転倒したりし難く安定性及び安全性に優れる。
（５）階段部が梯子部の内側に配設されているので、折畳み時に階段部が梯子部の外側に大きく突出することなく階段部を一対の梯子部間に収容するためコンパクトで運搬性及び保管時の省スペース性に優れる。
【００２１】
ここで、梯子部及び階段部としては、実施の形態１で説明したものと同様のものが用いられる。
支持脚部としては、アルミニウムや軽合金等の金属等からなる棒状、パイプ状部材等が用いられる。支持脚部の下端部には、設置安定性を高めるために、ゴム材や地面に噛み込む歯部を有する滑り止め部や所定の面積の平板部を設けることが好ましい。
【００２２】
本発明の請求項５に記載の発明は、請求項１乃至４の内いずれか１項に記載の脚立であって、前記階段部が、前記踏み板と前記蹴り上げ板とが交互に一体形成された階段状の板状部材により形成された構成を有している。
【００２３】
この構成により、請求項１乃至４の内いずれか１項の作用に加え、以下のような作用を有する。
（１）１乃至複数の踏み板と蹴り上げ板とが交互に一体に形成されるので階段部の強度を高めることができると共に、階段部をプレス成形等を用いて簡単に作製でき、生産性に優れる。
【００２４】
本発明の請求項６に記載の発明は、請求項１乃至５の内いずれか１項に記載の脚立であって、前記階段部の最上段の天板部の側部に立設された手摺り部を備えた構成を有している。
【００２５】
この構成により、請求項１乃至５の内いずれか１項の作用に加え、以下のような作用を有する。
（１）階段部の踏み板や天板部に乗って作業を行う際に作業者は手摺り部を把持して姿勢を安定させて作業できるので、安全且つ円滑に作業を行うことができ、特に高い位置での安全性及び作業性に優れる。
【発明の効果】
【００２６】
以上説明したように本発明によれば、以下のような有利な効果が得られる。
請求項１に記載の発明によれば、
（１）梯子部に階段部を備えているので、作業者は安定した姿勢で、足を踏み外すことなく、また階段部に作業具や材料等を置いて作業することができ、作業者の負担が少なく長時間の作業が可能である作業性及び安全性に優れた脚立を提供することができる。
（２）蹴り上げ板を有しているので、作業者は階段部を上り下りする際に、或いは階段部に乗って作業する際に内側に足を踏み外すことが全くなく、転落の不安による余計な注意力を払う必要がなく、落ち着いて作業することができる作業性に優れた脚立を提供することができる。
（３）蹴り上げ板を有しているので、耐荷重が大きく安全に種々の作業を行うことができる安全性に優れた脚立を提供することができる。
（４）階段部が梯子部の内側に配設されているので、従来のように梯子部の外側に階段部を配設した場合と比較して、踏み面が脚立の重心に近い位置に配設され、従来に比べ作業者が乗ってもぐらついたり傾いたり転倒したりし難い安定性及び安全性に優れた脚立を提供することができる。
（５）階段部が梯子部の内側に配設されているので、折畳み時に階段部が梯子部の外側に大きく突出することなく階段部を一対の梯子部間に収容するためコンパクトで運搬性に優れ且つ保管時の省スペース性に優れた脚立を提供することができる。
【００２７】
請求項２に記載の発明によれば、請求項１の効果に加え、
（１）一方の梯子部の階段部にストッパ部を備えているので、梯子部同士の間隔を所定間隔に保つことができ、階段部に負荷がかかって変形したり傷付いたりするのを防止できる脚立を提供することができる。
【００２８】
請求項３に記載の発明によれば、請求項１又は２の効果に加え、
（１）開閉状態保持部により脚立の設置時に梯子部を所定角度で安定して保持でき安全且つ円滑に作業を行うことができると共に、脚立の収納時や搬送時には畳んだ状態で確実に保持でき持ち運びを容易且つ安全に行うことができ安全性及び作業性に優れた脚立を提供することができる。
（２）保持材の連通する開保持用固定孔又は閉保持用固定孔に固定部材を挿着して開状態や閉状態を保持するのでガタが生じ難く、開状態や閉状態が強固に保持され、設置安定性及び安全性、作業性に優れた脚立を提供することができる。
【００２９】
請求項４に記載の発明によれば、
（１）梯子部に階段部を備えているので、作業者は安定した姿勢で、足を踏み外すことなく、また階段部に作業具や材料等を置いて作業することができ、作業者の負担が少なく長時間の作業が可能である作業性及び安全性に優れた脚立を提供することができる。
（２）蹴り上げ板を有しているので、作業者は階段部を上り下りする際に、或いは階段部に乗って作業する際に内側に足を踏み外すことが全くなく、転落の不安による余計な注意力を払う必要がなく、落ち着いて作業することができる作業性に優れた脚立を提供することができる。
（３）蹴り上げ板を有しているので、耐荷重が大きく安全に種々の作業を行うことができる安全性に優れた脚立を提供することができる。
（４）階段部が梯子部の内側に配設されているので、従来のように梯子部の外側に階段部を配設した場合と比較して、踏み面が脚立の重心に近い位置に配設され、従来に比べ作業者が乗ってもぐらついたり傾いたり転倒したりし難い安定性及び安全性に優れた脚立を提供することができる。
（５）階段部が梯子部の内側に配設されているので、折畳み時に階段部が梯子部の外側に大きく突出することなく階段部を一対の梯子部間に収容するためコンパクトで運搬性に優れ且つ保管時の省スペース性に優れた脚立を提供することができる。
【００３０】
請求項５に記載の発明によれば、請求項１乃至４の内いずれか１項の効果に加え、
（１）踏み板と蹴り上げ板とが交互に一体に形成され強度の高い脚立を提供することができる。
（２）階段部をプレス成形等を用いて簡単に作製でき生産性に優れた脚立を提供することができる。
【００３１】
請求項６に記載の発明によれば、請求項１乃至５の内いずれか１項の効果に加え、
（１）作業者は手摺り部を把持して姿勢を安定させて作業できるので、安全且つ円滑に作業を行うことができ、特に高い位置での安全性及び作業性に優れた脚立を提供することができる。
【発明を実施するための最良の形態】
【００３２】
以下、本発明の一実施の形態について、図１乃至図７を用いて説明する。
（実施の形態１）
図１は本実施の形態１における脚立の全体斜視図であり、図２は本実施の形態１における脚立の開いた状態の要部縦断面図であり、図３は本実施の形態１における脚立の閉じた状態の要部縦断面図であり、図４（ａ）は開閉連結部の要部断面図、図４（ｂ）は図４（ａ）のＡ−Ａ線の要部矢視断面図であり、図５は階段部の変形例を示す要部斜視図である。
図中、１は本実施の形態１における脚立、２ａ，２ｂは一対の梯子部、３は梯子部２ａ，２ｂの縦材、４は各縦材３の下端部に固定された滑り止め部、５，５ａ〜５ｄは２本の縦材３の間に架設された横桟、５ｅ，５ｅ′は梯子部２ａ，２ｂの上端部に配設された天板部、６は縦材３の頂部に形設され各々の梯子部２ａ，２ｂを上端部で開閉自在に連結する開閉連結部であり、梯子部２ａ，２ｂの上端部の両側部に各々配設された一対の連結板６ａ，６ｂをボルト６ｃで連結して構成されている。７は梯子部２ａに配設された階段部、８ａ〜８ｄは横桟５ａ〜５ｄの上面に前端部が配設固定され横桟５ａ〜５ｄから内側（梯子部２ｂ側）に向けて形設された踏み板、９ａ〜９ｄは踏み板８ａ〜８ｄの内側端部から上方に向けて形設され上端部が横桟５ａ〜５ｄより１つ上の横桟５ｂ〜５ｄ及び天板部５ｅに配設固定された蹴り上げ板、１０は階段部７の踏み板８ａ〜８ｄ及び蹴り上げ板９ａ〜９ｄの各々の側辺部に溶接等により固着された長尺板状の補強部兼ストッパ部（ストッパ部）、１０ａは補強部兼ストッパ部１０に切り欠き形成され、梯子部２ａ，２ｂが閉じた時に後述の架設シャフトが挿入されるシャフト嵌合部である。
【００３３】
１１ａ，１１ｂは梯子部２ａ，２ｂの両側部の所定高さに架設され梯子部２ａ，２ｂの開状態及び閉状態を保持する開閉状態保持部であり、各縦材３の内側面に固定された保持材軸着部１２と、一端部が梯子部２ａの保持材軸着部１２に軸着された第１の保持材１３ａと、一端部が梯子部２ｂの保持材軸着部１２に軸着された第２の保持材１３ｂと、開閉状態保持部１１ａと開閉状態保持部１１ｂ間に架設された架設シャフト１４と、梯子部２ａ，２ｂの開状態及び閉状態で固定する固定部材１５とにより構成されている。開閉状態保持部１１ａ，１１ｂの詳細については後述する。１６は水準器、１７は最下部の横桟５を支持し補強する横桟支持補強部、Ｘは脚立１の設置面である。
【００３４】
図４において、６ｄはボルト６ｃの雄ネジ部、６ｅは雄ネジ部６ｄの先端部近傍に貫設された止着部材挿通孔、６ｆ，６ｇは各連結板６ａ，６ｂに穿設されたボルト挿通孔、１８，１９はボルト６ｃの雄ネジ部６ｄに螺着された調整ナット及び溝付きロックナット、１９ａは溝付きロックナット１９の一側面にネジ孔から放射状に形成された複数の溝部、２０は挿通孔６ｅに挿通されると共にいずれかの溝部１９に挿入される割ピン等の止着部材、２１はワッシャである。
また、図５において、２２は階段部７の蹴り上げ板９ａ〜９ｄに所定の大きさ及び形状、個数で形成された１乃至複数の開口部である。
【００３５】
ここで、縦材３や横桟５，５ａ〜５ｄ、天板部５ｅとしては、アルミニウムや軽合金等の金属等からなる棒状、パイプ状部材等が用いられる。また、階段部７としては、アルミニウムや軽合金、ステンレス鋼や鉄等の金属板、合成樹脂板、ＦＲＰ（繊維強化プラスチック）板等の板状部材が用いられる。なお、階段部７として表面に複数の縞目状の突起を滑り止めとして形成した縞板を用いれば、上り下り時及び作業時の安全性を高めることができる。本出願人が試作した結果、階段部７の材質としてはアルミニウム製の縞板が軽量化及び安全性等の点から最適であった。
階段部７は梯子部２ａの全ての横桟５，５ａ〜５ｄに設ける必要はなく、所定の横桟５ａ〜５ｄに設ければよい。特に、所定高さより上側の横桟５ａ〜５ｄにのみ配設することで、軽量化を図りながら高所での作業性を高めることができる。
階段部７は１枚の金属板等の板状部材を階段状に曲げ加工して形成する、または踏み板８ａ〜８ｄと蹴り上げ板９ａ〜９ｄを各々板状部材により形成し、各板状部材を横桟５ａ〜５ｄ及び天板部５ｅに溶接やビス止め等により階段状に固定して形成する、或いはＬ字状又は逆Ｌ字状に曲げ加工した複数の板状部材を横桟５ａ〜５ｄ及び天板部５ｅに固定して階段状に配置して形成する。階段部７を１枚の板状部材を曲げ加工等して踏み板８ａ〜８ｄと蹴り上げ板９ａ〜９ｄを交互に一体形成した場合は、生産性に優れると共に強度を高めることができる。
また、階段部７の蹴り上げ板９ａ〜９ｄには、図５に示すように１乃至複数の開口部２２を形成することができる。これにより、脚立１の軽量化を図ることができ取り扱い性及び搬送性に優れる。開口部２２は蹴り上げ板９ａ〜９ｄが踏み板８ａ〜８ｄにかかる荷重を支持できる耐久性を有する範囲で種々の大きさ及び形状、個数で形成することができる。なお、開口部２２を踏み板８ａ〜８ｄに形成してもよく、開口部２２に替えて多数の孔を形成したパンチングメタル等を用いてもよい。
【００３６】
開閉連結部６においては、図４に示すように、連結板６ａ，６ｂのボルト挿通孔６ｆ，６ｇにボルト６ｃの雄ネジ部６ｄをワッシャ２１を介して挿着し、調整ナット１８を雄ネジ部６ｄにワッシャ２１を介して螺合する。これにより、連結板６ａ，６ｂを互いに回動自在に連結すると共に、調整ナット１８による締め付け量を適宜調整することで、連結板６ａ，６ｂ間に隙間が形成されずガタが生じるのを防止でき、脚立１の設置安定性に優れる。また、調整ナット１８の上から溝付きロックナット１９を螺合することで調整ナット１８の緩みを防止できる。さらに、止着部材２０を雄ネジ部６ｄの挿通孔６ｅと溝付きロックナット１９の所定の溝部１９ａに挿入することで、溝付きロックナット１９の脱落や緩みを防止し、調整ナット１８の緩み止めを確実にすることができる。
【００３７】
補強部兼ストッパ部１０や開閉状態保持部１１ａ，１１ｂの保持材１３ａ，１３ｂの材質としては、ステンレス鋼やアルミニウム等の金属製や合成樹脂製等の長尺板状部材が用いられる。補強部兼ストッパ部１０は階段部７の側部に固定され、梯子部２ａの縦材３に所定間隔で略平行に配設される。これにより、梯子部２ａと梯子部２ｂを閉じた時に梯子部２ｂの横桟５が補強部兼ストッパ部１０に当接するため、階段部７の背面に梯子部２ｂの横桟５が接触するのを防止し負荷がかかって変形等することを防止できる。また、梯子部２ａ，２ｂを閉じた時に階段部７の梯子部２ｂ側の各々の角部７′が梯子部２ｂの横桟５の間に入るので、折畳み時（閉状態）の梯子部２ａ，２ｂ間の間隔を小さく設定できコンパクトにできる。
開閉状態保持部１１ａと開閉状態保持部１１ｂとは架設シャフト１４で互いに連動するように連結されている。これにより、作業者は梯子部２ａ，２ｂを閉じる場合等に一方の開閉状態保持部１１ａ又は１１ｂのみを操作すればよく操作性に優れる。
【００３８】
なお、本実施の形態１においては、梯子部２ａの傾斜角度α、すなわち階段部７の勾配は５０°〜８０°、好ましくは６０°〜７０°、さらに好ましくは６５°程度に設定され、梯子部２ｂの傾斜角度βは、６５°〜９０°、好ましくは７０°〜８５°程度に設定される。また、階段部７の踏み板８ａ〜８ｄの奥行き長さは２２０ｍｍ〜２８０ｍｍ、各踏み板８ａ〜８ｄ間の間隔（各横桟５ａ〜５ｅ間の間隔）は３１０ｍｍ〜４２０ｍｍに設定される。これにより、脚立１を狭い設置スペースにも安定して設置でき、且つ、作業者は安全且つ容易に上り下りすることができると共に、踏み板８ａ〜８ｄの面積を十分広く取ることができ、踏み板８ａ〜８ｄ上で安定した姿勢で作業を行うことができ、また、踏み板８ａ〜８ｄが十分に広いので種々の作業具等を置いておき円滑に作業を行うことができる。なお、傾斜角度α，βは上述したものに限定されるものではなく、脚立１の全高、横桟５や階段部７の段数、脚立１の用途等により適宜設定することができる。本実施の形態１のように、傾斜角度αを傾斜角度βより小さくして階段部７の勾配を小さくし安全且つ容易に上り下りできるようにしてもよく、或いは傾斜角度α，βを共に７５°程度として狭い設置スペースに対応できるようにすると共に、梯子部２ａと２ｂを直線状に開いて梯子としても使用できるようにして梯子兼用脚立としてもよい。また、各踏み板８ａ〜８ｄの奥行きや間隔は、傾斜角度α，β、階段部７の段数、脚立１の用途等により適宜設定することができる。なお、梯子部２ｂの横桟５の間隔は、脚立１を閉じた時に階段部７が接触しないように適宜所定の間隔に設定されている。
【００３９】
以上のように構成された本実施の形態１における脚立１について、以下その使用方法を図１乃至図３を用いて説明する。
脚立１を設置するには、梯子部２ａ，２ｂが閉じた状態（閉状態、図３参照）から、梯子部２ａ，２ｂを開閉状態保持部１１ａ，１１ｂが略直線状になるまで開き、踏み板８ａ等に設置された水準器１６を確認しながら踏み板８ａ〜８ｄ及び横桟５の上面が水平になるように設置位置等を調整する（図２参照）。作業者は設置した脚立１の梯子部２ａの横桟５及び階段部７を上り下りし、踏み板８ａ〜８ｄ上で作業を行う。一の踏み板（例えば踏み板８ｂ）に右足を乗せ他の踏み板（例えば踏み板８ｃ）に左足を乗せて姿勢を安定させながら作業を行ったり、作業具を例えば踏み板８ｄに置いて別の作業具を使用したりして円滑に作業を行うことができる。
【００４０】
脚立１を折畳むには、梯子部２ａ，２ｂが開いた状態（開状態、図２参照）で、開閉状態保持部１１ａ，１１ｂを折り曲げながら梯子部２ａ，２ｂを閉じていき、補強部兼ストッパ部１０が梯子部２ｂの横桟５に当接するまで、すなわち梯子部２ａ，２ｂを互いに略平行になるまで接近させる（図３参照）。このとき、開閉状態保持部１１ａ，１１ｂの架設シャフト１４は補強部兼ストッパ部１０のシャフト嵌合部１０ａに嵌入される。また、階段部７の背面側において踏み板８ａ〜８ｄと蹴り上げ板９ａ〜９ｄとの連結部に形成される角部７′は、梯子部２ｂの横桟５の間に挿入される。このように作業者は脚立１をコンパクトに折畳むことができ、容易に運搬でき倉庫等の狭い保管スペースでも保管することができる。
【００４１】
次に、開閉状態保持部１１ａ，１１ｂによる梯子部２ａ，２ｂの開状態を保持する構造、及び、閉状態を保持する構造について、図６及び図７を用いて説明する。
図６（ａ）は梯子部の開状態における開閉状態保持部の要部平面図であり、図６（ｂ）は保持材軸着部の要部側面断面図であり、図６（ｃ）は梯子部の閉状態における保持部軸着部の要部正面断面図であり、図６（ｄ）は梯子部の開状態における保持部軸着部の要部正面断面図であり、図７は梯子部の閉状態における開閉状態保持部の要部側面図である。
図６において、２３は側面部１２ａ間に架設され保持材１３ａ，１３ｂの一端部が軸着された回動軸、２４は保持材１３ａの略中間部と保持材１３ｂの先端部に穿設され梯子部２ａ，２ｂの開状態で重なって連通し固定部材１５が挿着される開保持用固定孔である。なお、図６（ａ）に示すように、保持材１３ａ，１３ｂは保持材軸着部１２から所定長さの斜行部分を有している。該斜行部分の傾斜角度θは梯子部２ａの縦材３の側部の傾斜角度θ′と略同一に形成されている。これにより、梯子部２ａ，２ｂを閉じた時（この時、保持材１３ａ，１３ｂは立ち上がった状態となる（図７参照））に縦材３の側部から保持材１３ａ，１３ｂがはみ出すのを防止できる。
図６（ｂ）において、１２ａは保持材軸着部１２の一対の側面部、１２ｂは縦材３の内側面にビス止めされた保持材軸着部１２の背面部、１２ｃは保持材軸着部１２の底面部、１３ｃは保持材１３ａ，１３ｂの下辺である。なお、梯子部２ａ，２ｂを開いて保持材１３ａ，１３ｂが梯子部２ａ，２ｂ間に略水平に直線状に架設された状態で、保持材１３ａ，１３ｂの両端部近傍の下辺１３ｃが底面部１２ｃの上面に当接するように構成されている。
図７において、２５は保持材１３ｂの略中央部の側辺に形設された突出部、２６は突出部２５と保持材１３ｂの所定部に穿設され梯子部２ａ，２ｂの閉状態で重なって連通し固定部材１５が挿着される閉保持用固定孔である。
保持材１３ａの他端部と保持材１３ｂの略中間部が架設シャフト１４の端部に軸着されて折り曲げ自在に連結され、保持材１３ａ，１３ｂの所定部に形成され開状態で連通する固定孔（後述）にピン等の固定部材１５を装着することで開状態が保持されるよう構成されている。なお、保持材１３ａと保持材１３ｂの所定部に形成され梯子部２ａ，２ｂの閉状態で連通する固定孔（後述）に固定部材１５を装着することによって閉状態を保持するもできる。
【００４２】
梯子部２ａ，２ｂの開状態においては、図６（ａ）に示すように、保持材１３ａの先端側と保持材１３ｂの先端側とが所定長さで重なり、各保持材１３ａ，１３ｂに形成された開保持用固定孔２４が連通する。連通した開保持用固定孔２４に固定部材１５を挿着することで、保持材１３ａ，１３ｂは架設シャフト１４と固定部材１５の２点で軸着固定されるため、折れ曲がることなく水平に保持される。これにより、梯子部２ａ，２ｂの開状態が強固に維持される。
なお、図６（ｂ）に示すように、保持材１３ａ，１３ｂが水平に保持された状態では、保持材１３ａ，１３ｂの端部近傍の下辺１３ｃは保持材軸着部１２の底面部１２の上面に当接するため、閉状態から開状態にする際や開状態において固定部材１５を取り外した際に保持材１３ａ，１３ｂが水平より下方に折れ曲がることがないため、設置作業や折り畳み作業を円滑に行うことができる。
また、保持材１３ａ，１３ｂに斜行部分が形成されていると共に、図６（ｃ）に示すように、縦材３に添わせた状態で、保持材１３ａ，１３ｂと保持材軸着部１２の側面部１２ａとの間、及び、保持材１３ａ，１３ｂの軸孔と回動軸２３との間に所定の遊びが設けられている。これにより、梯子部２ａ，２ｂの閉状態において保持材１３ｂを縦材３に添わせた状態から水平になるまで回動させ開状態にする際に、この状態から保持材１３ｂを回動させると、図６（ｄ）に示すように、保持材軸着部１２に対して保持材１３ｂが傾くため、前記遊びがなくなり、ガタが生じるのを防止でき、脚立１を安定して設置できる。
梯子部２ａ，２ｂの閉状態においては、図７に示すように、保持材１３ｂの突出部と保持材１３ａの先端側が重なり、保持材１３ｂの突出部に形成された閉保持用固定孔２６と保持材１３ａに形成された閉保持用固定孔２６とが連通する。連通した閉保持用固定孔２６，２６に固定部材１５を挿着することで保持材１３ａ，１３ｂは架設シャフト１４と固定部材１５の２点で固定されるため、折れ曲がった状態で保持され、これにより、梯子部２ａ，２ｂの閉状態が強固に維持される。
【００４３】
以上のように本実施の形態１における脚立１は構成されているので、以下のような作用を有する。
（１）梯子部２ａ，２ｂが踏み板８ａ〜８ｄと蹴り上げ板９ａ〜９ｄとを有する階段部７を備えているので、作業者は通常の横桟より広い踏み面を有する踏み板８ａ〜８ｄ上に乗って安定した姿勢で高所の作業ができると共に、内側（一対の梯子部間）に足を踏み外すことが全くなく、転落の不安による余計な注意力を払う必要がなく作業性及び安全性に優れると共に、踏み板８ａ〜８ｄ上に作業具や材料等を置くことができ、作業にかかる労力が少なく長時間の作業が可能である。
（２）踏み板８ａ〜８ｄにかかる荷重を蹴り上げ板９ａ〜９ｄと梯子部２ａの横桟５ａ〜５ｄ及び天板部５ｅで支えるので、耐荷重が大きく安全に種々の作業を行うことができると共に、階段部７の側部に補強部兼ストッパ部（ストッパ部）１０を備え、各々の踏み板８ａ〜８ｄ及び蹴り上げ板９ａ〜９ｄが連結されているので、さらに強度を高めることができる。
（３）踏み板８ａ〜８ｄが横桟５ａ〜５ｄから内側（梯子部２ｂ側）に向けて延設され階段部７が梯子部２ａの内側に配設されているので、踏み板８ａ〜８ｄの踏み面が脚立１の重心に近い位置に配設され、作業者が乗ってもぐらついたり傾いたり転倒したりし難い。（４）開角度保持部１１ａ，１１ｂにより梯子部２ａ，２ｂの開角度を所定角度に保持でき、脚立１の設置時には常に踏み板８ａ〜８ｄが水平になるので、設置作業が容易であると共に、作業者は踏み板８ａ〜８ｄ上でバランスを崩したり踏み板８ａ〜８ｄに置いた作業具等が落下したりすることなく安全且つ円滑に作業を行うことができる。
（５）梯子部２ａ，２ｂを閉じた時に梯子部２ｂの横桟５が補強部兼ストッパ部１０に当接するため、梯子部２ａ，２ｂの間隔を所定間隔に保つことができ、階段部７の背面に梯子部２ｂの横桟５等が接触することなく階段部７に負荷がかかって変形したり傷付いたりするのを防止できる。
（６）開閉状態保持部１１ａ，１１ｂにより一対の梯子部２ａ，２ｂを開いた状態及び閉じた状態で保持できるので、脚立１の設置時には踏み板８ａ〜８ｄが水平になるような角度で安定して保持でき安全且つ円滑に作業を行うことができると共に、脚立１の収納時や搬送時には畳んだ状態で確実に保持でき持ち運びを容易且つ安全に行うことができる。
（７）保持材軸着部１２が梯子部２ａ，２ｂの縦材３の内側面に配設されると共に、保持材１３ａ，１３ｂが斜行部分を有し対向する縦材３と縦材３の間の幅分の空間内に収まるため、開閉状態保持部１１ａ，１１ｂを構成する保持材軸着部１２や保持材１３ａ，１３ｂが梯子部２ａ，２ｂの側部からはみ出すことがなく昇降時に作業者の衣服等が引っ掛かるのを防止でき安全性に優れると共に、梯子部２ａ，２ｂを開いた時に保持材軸着部１２においてガタが生じるのを防止でき、脚立１全体がぐらつくのを防止でき、作業者は脚立１に乗って安全且つ円滑に作業を行うことができる。
（８）梯子部２ａ，２ｂの開状態及び閉状態において、保持材１３ａ，１３ｂの連通する開保持用固定孔２４，２４又は閉保持用固定孔２６，２６に固定部材１５を挿着して開状態や閉状態を保持するのでガタが生じ難く、開状態や閉状態が強固に保持され、設置安定性に優れ脚立１の階段部上での作業及び搬送作業を安全且つ円滑に行うことができる。
（９）開閉連結部６が、ボルト６ｃと、締め付け量を適宜調整する調整ナット１８と、調整ナット１８の緩みを防止する溝付きロックナット１９及び止着部材２０とを備えているので、梯子部２ａ，２ｂの開閉動作を円滑にしながら開閉連結部６におけるガタつきを確実に防止できる。
【００４４】
（実施の形態２）
図８（ａ）は本実施の形態２における脚立の開いた状態の要部縦断面図であり、図８（ｂ）は本実施の形態２における脚立の閉じた状態の要部縦断面図であり、図９は本実施の形態２における脚立の他の使用状態を示す要部縦断面図である。
図中、１ａは本実施の形態２における脚立、２７ａ，２７ｂは梯子部であり、略同一の長さに形成され、各々の傾斜角度γは６５°〜８５°、好ましくは７０°〜８０°に設定されている。２８は一端部が梯子部２７ａの縦材３の上端部近傍の側部に回動自在に軸着され他端部に係合部２８ａが形成され中間部で折り曲げ自在に形成された開状態保持部、２９ａは梯子部２７ｂの縦材３の上端部近傍の側部に突設され梯子部２７ａ，２７ｂが所定角度で開いた状態及び直線状に開いた状態で係合部２８ａが係合する被係合部、２９ｂは梯子部２７ａの縦材３の側部に突設され梯子部２７ａ，２７ｂが閉じた状態で係合部２８ａが係合する被係合部、３０は梯子部２７ａの縦材３の下端部近傍の側部に一端部が回動自在に軸着された閉状態保持部、３０ａは閉状態保持部３０の他端部に形成された係合部、３１ａは梯子部２７ｂの縦材３の下端部の側部に突設され係合部３０ａが係合する被係合部、３１ｂは梯子部２７ａの閉状態保持部３０の近傍に突設され係合部３０ａが係合する被係合部、Ｙは家屋等の建造物である。なお、図８及び図９において、実施の形態１において説明したものと同様のものは同一の符号を付けて説明を省略する。
【００４５】
以上のように構成された本実施の形態２における脚立１ａについて、以下その使用方法を図８及び図９を用いて説明する。
脚立１ａを設置するには、梯子部２７ａ，２７ｂが閉じた状態（図８（ｂ）参照）から、まず、閉状態保持部３０の係合部３０ａを被係合部３１ａから外して被係合部３１ｂに係合し、梯子部２７ａ，２７ｂを開く。次に、開状態保持部２８の係合部２８ａを被係合部２９ｂから外し、梯子部２７ａ，２７ｂを所定角度まで開いて係合部２８ａを被係合部２９ａに係合する（図４（ａ）参照）。
続いて、脚立１ａを建造物Ｙに立てかけて使用するには、開状態保持部２８の係合部２８ａを被係合部２９ａから外し、梯子部２７ａ，２７ｂを直線状（開角度１８０°）になるまで開き、その状態で開状態保持部２８の係合部２８ａを被係合部２９ａに係合する（図５参照）。これにより、梯子部２７ａ，２７ｂは直線状に固定されるので、梯子状の脚立１ａを建造物Ｙに立てかけて梯子として使用でき、作業者はさらに高所で作業を行うことができる。
【００４６】
脚立１ａを折畳むには、梯子状の脚立１ａを建造物Ｙに立てかけた状態（図５参照）から設置面Ｘ等に寝かせ、開状態保持部２８の係合部２８ａを被係合部２９ａから外して被係合部２９ｂに係合し、梯子部２７ａ，２７ｂを閉じていき、補強部兼ストッパ部１０が梯子部２７ｂの横桟５に当接するまで、すなわち梯子部２７ａ，２７ｂを互いに略平行になるまで接近させる。このとき、階段部７の背面側において踏み板８ａ〜８ｄと蹴り上げ板９ａ〜９ｄとの連結部に形成される角部は、梯子部２７ｂの横桟５の間から突出しないように、梯子部２７ａと梯子部２７ｂの間隔が設定されている。補強部兼ストッパ部１０が梯子部２７ｂの横桟５に当接した状態で閉状態保持部３０の係合部３０ａを被係合部３１ｂから外し、被係合部３１ａに係合させる（図４（ｂ）参照）。
【００４７】
以上のように本実施の形態２における脚立１ａは構成されているので、実施の形態１の作用に加え、以下のような作用を有する。
（１）梯子部２７ａ，２７ｂを所定角度で開いて設置して脚立として使用できると共に、梯子部２７ａ，２７ｂを直線状に固定して梯子として使用でき、種々の作業に使用することができる。
（２）梯子部２７ａと梯子部２７ｂの間隔が広く設定されていると共に、階段部７に補強部兼ストッパ部１０を備えているので、梯子部２７ａ，２７ｂを閉じた時に梯子部２７ｂの横桟５に補強部兼ストッパ部１０が当接し、梯子部２７ａ，２７ｂ同士の間隔を所定間隔に保つことができ、階段部７が梯子部２７ａと梯子部２７ｂの間に完全に収容され梯子部２７ｂの外側に突出しないため、階段部７に負荷がかかって変形したり傷付いたりするのを防止できると共に、コンパクトで運搬性及び保管時の省スペース性に優れる。
【００４８】
なお、上述した実施の形態１において、開閉状態保持部１１ａ，１１ｂに替えて本実施の形態２で説明した開状態保持部２８及び閉状態保持部３０を設けてもよく、同様の作用が得られる。
【００４９】
（実施の形態３）
図１０は本実施の形態３における脚立の開いた状態の要部縦断面図であり、図１１（ａ）は本実施の形態３における脚立の閉じた状態の要部縦断面図であり、図１１（ｂ）は本実施の形態３における脚立の他の使用状態を示す要部縦断面図である。なお、図１１（ｂ）は脚立を建造物に立てかけて梯子として使用する状態を示す。
図中、１ｂは本実施の形態３における脚立、３３ａ，３３ｂは梯子部、３４ａ，３４ｂは梯子部３３ａ，３３ｂの上端部に配設された天板部である。なお、図１０及び図１１において、実施の形態１又は２において説明したものと同様のものは同一の符号を付けて説明を省略する。
【００５０】
以上のように構成された本実施の形態３における脚立１ｂが実施の形態２の脚立１ａと異なる点は、幅広の天板部３４ａ，３４ｂを備えた点である。この相異により、実施の形態２の作用に加え、以下のような作用を有する。
（１）幅広の天板部３４ａ，３４ｂを備えているので、作業者は作業具等を置いたりするスペースを広く取れ、また、２台の脚立１ｂ間に足場板を架設して脚立足場として用いる場合は、足場板を安定して架設することができる。
（２）幅広の天板部３４ａ，３４ｂを備えることにより梯子部３３ａ，３３ｂ間の間隔を拡がるので、梯子部３３ａ，３３ｂを閉じた時であっても階段部７が梯子部３３ｂより外側にはみ出ることがなく、梯子部３３ａ，３３ｂの間に階段部を完全に収容でき、階段部７に負荷がかかって変形したり傷付いたりするのを防止できると共に運搬性及び保管性に優れる。
【００５１】
（実施の形態４）
図１２は本実施の形態４における脚立の閉じた状態の要部側面図である。
図中、１ｃは本実施の形態４における脚立、４１ａ，４１ｂは梯子部であり、梯子部４１ａ，４１ｂは実施の形態２と同様に略同一の長さに形成されている。４２は梯子部４１ａ，４１ｂの両側部に架設され梯子部４１ａ，４１ｂの開角度を所定角度に保持する開状態保持部である。なお、図１２において、実施の形態１又は２において説明したものと同様のものは同一の符号を付けて説明を省略する。
【００５２】
以上のように構成された本実施の形態４における脚立１ｃが実施の形態２の脚立１ａと異なる点は開状態保持部４２を備えた点である。開状態保持部４２は実施の形態１で説明した開閉状態保持部１１ａ，１１ｂと略同様の構成を有しているが、突出部２５及び閉保持用ピン孔２６を備えておらず、閉状態の保持は閉状態保持部３０により行う点で異なる。
この相異により、実施の形態１又は２の作用に加え、以下のような作用を有する。
（１）開状態保持部４２により梯子部４１ａ，４１ｂの開角度を所定角度に保持でき、脚立１ｃの設置時には常に踏み板が水平になるので、設置作業が容易であると共に、作業者は踏み板上でバランスを崩したり踏み板に置いた作業具等が落下したりすることなく安全且つ円滑に作業を行うことができる。
【００５３】
（実施の形態５）
図１３は本実施の形態５における脚立の全体斜視図であり、図１４は本実施の形態５における脚立の要部縦断面図であり、図１５（ａ）は天板部及び開閉連結部の要部平面図であり、図１５（ｂ）は天板部及び開閉連結部の要部縦断面図であり、図１６は開閉連結部の端部の要部拡大断面図である。
図中、１ｄは本実施の形態５における三脚の脚立、５１は２本の縦材３とその間に架設された複数の横桟５とを有する梯子部、５２は階段部７の最上部に連設された天板部、５３ａ，５３ｂは各縦材３の上端部にビス止め等により固定され天板部５２の両側部を支持する一対の支持板、５４は支持板５３ａ，５３ｂの端部に架設され梯子部５１と後述の支持脚部とを開閉自在に連結する開閉連結部であり、両端部が支持板５３ａ，５３ｂに固定された開閉軸５４ａ（図１４参照）と開閉軸５４ａに回動自在に環装された筒状の環装部５４ｂにより構成されている。５４ｃは開閉軸５４ａの両端部に脱着自在に装着されたキャップ部、５５は上端部が環装部５４ｂの略中間部に溶接等で固定され梯子部５１に開閉自在に配設されたアルミニウムや軽合金等の金属等の棒状、パイプ状部材等からなる支持脚部、５５ａは支持脚部５５の上端部近傍の所定部から環装部５４ｂの両端部近傍に渡って斜めに架設された補強部、５５ｂは支持脚部５５に環装固定されたパイプ部材により形成され補強部５５ａの下端部が溶接される接合部（図１４参照）、５６は支持脚部５５の下端部に固設された滑り止め部、５６ａは滑り止め部５６の上面に穿設され後述の補助脚部の下端部が挿着又は後述の杭が挿通される孔部、５７は階段部７の背部の所定部と支持脚部５５の略中間部とに連結された開状態保持部、５７ａは金属等の長尺板状部材や棒状部材等からなる開状態保持部５７の保持材、５７ｂは支持脚部５５に固設され保持材５７ａの一端部が軸着された保持材軸着部、５７ｃは保持材軸着部５７ｂの下方に配設され保持材５７ａの他端部が係着される保持材係着部、５８は天板部５２の側部に脱着自在に立設固定された手摺り部である。
図１４及び図１５において、３ａは縦材３に後述の補助脚部を固定するためのボルトを保持する裏当て板、３ｂは裏当て板３ａ及び縦材３に貫設されたボルト挿通孔、５９は支持板５３ａ，５３ｂの内側面に固定されると共に天板部５２の下面に固定され天板部５２を支持板５３ａ，５３ｂに支持固定する断面Ｌ字状の支持固定部材、６０は支持板５３ａ，５３ｂの内側面に固設された有底筒状部材からなり手摺り部５８の脚部５８ａの下端部に挿着される手摺り挿着部、６０ａは支持板５３ａ，５３ｂと手摺り部挿着部６０に穿設され固定ピン等の固定部材が挿着される固定孔、６１は階段部７の所定の踏み板の下面に固設され保持材５７ａの他端部が係着される梯子部側保持材係着部、６２は保持材５７ａの他端部側に複数の形成され保持材係着部５７ｃや梯子部側保持材係着部６１に係着するためのピン等の係着部材６２ａが挿着される複数の係着孔である。
図１６において、６３は開閉軸５４ａの両端部に突設された雄ネジ部、６３ａは雄ネジ部６３の先端部近傍に貫設された止着部材挿通孔、６４は支持板５３ａ，５３ｂに穿設された雄ネジ挿通孔、６５，６６は雄ネジ部６３に螺着された調整ナット及び溝付きロックナット、６６ａは溝付きロックナット６６の一側面にネジ孔から放射状に形成された複数の溝部、６７は止着部材挿通孔６３ａに挿通されると共にいずれかの溝部６６ａに挿入される割ピン等の止着部材、６８はワッシャである。なお、図１３乃至図１６において、実施の形態１において説明したものと同様のものは同一の符号を付けて説明を省略する。
【００５４】
開閉連結部５４の両端部は、図１６に示すように、開閉軸５４ａの雄ネジ部６３を支持板５３ａ，５３ｂの雄ネジ挿通孔６４にワッシャ６８を介して挿入し、調整ナット６５を雄ネジ部６３にワッシャ６８を介して螺合する。これにより、開閉軸５４ａを支持板５３ａ，５３ｂに強固に固定すると共に、調整ナット６５による締め付け量を適宜調整することで、環装部５４ｂとワッシャ６８との隙間を調整し、ガタが生じるのを防止でき、脚立１ｄの設置安定性に優れる。また、調整ナット６５の上から溝付きロックナット６６を螺合することで調整ナット６５の緩みを防止できる。さらに、止着部材６７を雄ネジ部６３の挿通孔６３ａと溝付きロックナット６６の所定の溝部６６ａに挿入することで、溝付きロックナット６６の脱落や緩みを防止し、調整ナット６５の緩み止めを確実にすることができる。
【００５５】
以上のように構成された本実施の形態５における脚立１ｄを設置するには、梯子部５１と支持脚部５５が閉じた状態から支持脚部５５を開き、開状態保持部５７の保持材５７ａを水平にして先端の複数の係着孔６２の内、所定の係着孔６２を梯子部側保持材係着部６１の係着孔に重ねて連通させ、連通した係着孔６２に係着部材６２ａを挿着する。次に、脚立１ｄの設置状況に応じて滑り止め部５６の孔部５６ａに所定数のＬ字状等の杭７２（図１７参照）を挿通させ設置面Ｘに打ち込み、脚立１ｄを安定設置する。
手摺り部５８を取り付ける場合は、各脚部５８ａを手摺り部挿着部６０に挿入し、ピンやボルト等の固定部材を支持板５３ａ，５３ｂの外側から脚部５８ａと手摺り部挿着部６０の固定孔６０ａに挿着又は螺着し固定する。手摺り部５８を取り付けることにより、作業者は階段部７の最上段の天板部５２に乗って作業することができ、高い箇所の剪定作業等を行うことができ、高さ方向の作業範囲が広がると共に、天板部５２に乗った場合でも手摺り部５８を把持して姿勢を安定させ、落下等の危険を回避でき作業に集中できる。また、手摺り部５８のないものに比べ高さの低い脚立１ｄであっても広い作業範囲で安全に作業を行うことができるので、脚立１ｄの小型化及び軽量化が図れ、搬送性や収納性に優れる。
脚立１ｄを折畳むには係着部材６２ａを取り外し、保持材５７ａを回動させ支持脚部５５に添わせ、添わせた保持材５７ａ′の先端部の係着孔６２を保持材係着部５７ｃの係着孔に重ねて連通させ、係着部材６２ａを挿着した後、支持脚部５５を梯子部５１側へ接近させる。
【００５６】
また、三脚の脚立１ｄの安定性を高めるために梯子部５１に補助脚部を取り付けることができる。以下、補助脚部について図１７及び図１８を用いて説明する。
図１７は補助脚部を取り付けた状態を示す脚立の要部背面図であり、図１８（ａ）は補助脚部を支持脚部に添設固定した状態を示す要部側面図であり、図１８（ｂ）は滑り止め部の要部平面図である。
図中、７０は梯子部５１の両側部において上端部が縦材３の側面にボルト止め等で固定された補助脚部、７０ａは補助脚部７０の下端部に形成され設置面Ｘに打ち込まれる先鋭部、７０ｂは補助脚部７０の上端部に形成されたボルト挿通孔、７１は補助脚部７０を縦材３に固定するボルト、７２は滑り止め部５６の孔部５６ａに挿通させ設置面Ｘに打ち込まれる杭、７３は補助脚部７０を支持脚部５５に添設固定するためのゴムバンド等の固定バンドである。
図１７に示すように、補助脚部７０を梯子部５１の両側部にボルト７１で固定し、先鋭部７０ａを設置面Ｘに打ち込むことで脚立１ｄは滑り止め部４，４，５６と補助脚部７０，７０の５点で支持されるので安定して設置することができる。なお、図１４に示すように、縦材３に複数のボルト挿通孔３ｂを設けることで補助脚部７０の固定位置を設置面Ｘの形状や状態に応じて適宜変更することができる。また、補助脚部７０の上端部を複数のボルト７１等で固定してもよいが、１個のボルト７１等で回動可能に固定した場合は、補助脚部７０の先鋭部７０ａの打ち込み位置を適宜変更することができる。これにより、凹凸の多かったり地盤の軟らかい部分が点在するような設置面Ｘであっても確実に安定設置することができる。脚立１ｄを折り畳んで搬送や収納する場合や補助脚部７０の不使用時には、図１８に示すように、補助脚部７０を支持脚部５５に添わせ、下端部の先鋭部７０ａを滑り止め部５６の孔部５６ａに挿入すると共に上端部を固定バンド７３で支持脚部５５に巻着して固定する。
【００５７】
以上のように本実施の形態５における脚立１ｄは構成されているので、実施の形態１の作用に加え、以下のような作用を有する。
（１）脚立１ｄが梯子部５１と支持脚部５５とを備えた三脚状に形成されているので、一対の梯子部を備えたものに比べ部品点数を低減でき、軽量化及びコンパクト化を図れる。
（２）従来の三脚の脚立は、大半が、アルミニウム製パイプ部材を矩形や楕円形等の枠状に曲げ加工して形成した横桟を縦材の間に溶接して梯子部を形成しただけのものであるため、曲げ加工や溶接が全て手作業で行われ生産性が極めて悪いと共に、作業者は枠状の横桟を踏むため踏み面積が極めて狭く、且つ横桟が枠状なので爪先等を引っ掛け易く、昇り降り時や作業時の安全性及び作業性に欠けるものであったが、本実施の形態５の三脚の脚立１ｄは、階段部７を備えているため踏み面が広く、且つ踏み面（踏み板）が板部材により形成されているため、昇り降りを安全且つ円滑にできると共に階段部上で姿勢を安定されることが容易で作業に集中でき安全性及び作業に優れる。また、階段部７は一枚の板部材を所定部で折り曲げ加工して容易に作製でき、また階段部７を横桟等にビス止め等だけで強固に固定できるので溶接箇所が極めて少なく生産性に優れる。
（３）階段部７や天板部５２に乗って作業を行う際に作業者は手摺り部５８を把持して姿勢を安定させて作業できるので、高い箇所まで安全且つ円滑に作業を行うことができ、特に天板部５２に乗った状態での高い位置や長時間の作業における安全性及び作業性に優れる。
（４）補助脚部７０が梯子部５１の両側部に固定されているので、脚立１ｄを滑り止め部４，４，５６と補助脚部７０，７０の５点で支持して安定して設置することができ、転倒やぐらつきを確実に防止して安全性に優れる。
（５）一枚の板部材を曲げ加工して階段部７の最上部に天板部５２を一体に形成することで、生産性に優れると共に天板部５２と階段部７とを強固に連結することができ、強度を固め耐久性に優れる。
【００５８】
なお、上述した実施の形態１乃至４の脚立に、本実施の形態５で説明した手摺り部５８や補助脚部７０を設けてもよく、同様の作用が得られる。手摺り部５８を設ける場合は、図１に示す天板部５ｅ′の幅を小さくし連結板６ｂの内側面に上述した手摺り挿着部６０を固設して手摺り部５８を脱着自在に取り付けることができる。
さらに、実施の形態１乃至４の脚立の階段部７として、実施の形態５の階段部７のように天板部５２と一体に形成されたものを用いてもよく、最下段の踏み板から最上段の天板部まで連続した階段部を形成することができ、生産性に優れると共に強度を高めることができる。
【産業上の利用可能性】
【００５９】
以上説明したように、本発明は２本の縦材とその間に架設された複数の横桟とを各々有する一対の梯子部又は梯子部と支持脚部を上端部で開閉自在に連結した脚立に関し、特に本発明によれば、作業者は踏み面の広い階段部上で作業でき作業性に優れると共に、階段部が梯子部の内側に配設されているので、踏み面が脚立の重心に近く安定性及び安全性に優れ、折畳み時には階段部を梯子部の間に格納してコンパクトにでき運搬性及び保管時の省スペース性に優れ、四脚型や三脚型、兼用型のいずれの脚立にも対応でき構造が簡単で生産性に優れる脚立を提供することができる。
【図面の簡単な説明】
【００６０】
【図１】実施の形態１における脚立の全体斜視図
【図２】実施の形態１における脚立の開いた状態の要部縦断面図
【図３】実施の形態１における脚立の閉じた状態の要部縦断面図
【図４】（ａ）開閉連結部の要部断面図（ｂ）図４（ａ）のＡ−Ａ線の要部矢視断面図
【図５】階段部の変形例を示す要部斜視図
【図６】（ａ）梯子部の開状態における開閉状態保持部の要部平面図（ｂ）保持材軸着部の要部側面断面図（ｃ）梯子部の閉状態における保持部軸着部の要部正面断面図（ｄ）梯子部の開状態における保持部軸着部の要部正面断面図
【図７】梯子部の閉状態における開閉状態保持部の要部側面図
【図８】（ａ）実施の形態２における脚立の開いた状態の要部縦断面図（ｂ）実施の形態２における脚立の閉じた状態の要部縦断面図
【図９】実施の形態２における脚立の他の使用状態を示す要部縦断面図
【図１０】実施の形態３における脚立の開いた状態の要部縦断面図
【図１１】（ａ）実施の形態３における脚立の閉じた状態の要部縦断面図（ｂ）実施の形態３における脚立の他の使用状態を示す要部縦断面図
【図１２】実施の形態４における脚立の閉じた状態の要部側面図
【図１３】実施の形態５における脚立の全体斜視図
【図１４】実施の形態５における脚立の要部縦断面図
【図１５】（ａ）天板部及び開閉連結部の要部平面図（ｂ）天板部及び開閉連結部の要部縦断面図
【図１６】開閉連結部の端部の要部拡大断面図
【図１７】補助脚部を取り付けた状態を示す脚立の要部背面図
【図１８】（ａ）補助脚部を支持脚部に添設固定した状態を示す要部側面図（ｂ）滑り止め部の要部平面図
【符号の説明】
【００６１】
１，１ａ，１ｂ，１ｃ，１ｄ，１ｅ  脚立
２ａ，２ｂ  梯子部
３  縦材
３ａ  裏当て板
３ｂ  ボルト挿通孔
４  滑り止め部
５，５ａ〜５ｄ  横桟
５ｅ，５ｅ′  天板部
６  開閉連結部
６ａ，６ｂ  連結板
６ｃ  ボルト
６ｄ  雄ネジ部
６ｅ  止着部材挿通孔
６ｆ，６ｇ  ボルト挿通孔
７  階段部
７′  角部
８ａ〜８ｄ  踏み板
９ａ〜９ｄ  蹴り上げ板
１０  補強部兼ストッパ部（ストッパ部）
１０ａ  シャフト嵌合部
１１ａ，１１ｂ  開状態保持部
１２  保持材軸着部
１２ａ  側面部
１２ｂ  背面部
１２ｃ  底面部
１３ａ，１３ｂ  保持材
１３ｃ  下辺
１４  架設シャフト
１５  固定部材
１６  水準器
１７  横桟支持補強部
１８  調整ナット
１９  溝付きロックナット
１９ａ  溝部
２０  止着部材
２１  ワッシャ
２２  開口部
２３  回動軸
２４  開保持用固定孔
２５  突出部
２６  閉保持用固定孔
２７ａ，２７ｂ  梯子部
２８  開状態保持部
２８ａ  係合部
２９ａ，２９ｂ  被係合部
３０  閉状態保持部
３０ａ  係合部
３１ａ，３１ｂ  被係合部
３３ａ，３３ｂ  梯子部
３４ａ，３４ｂ  天板部
４１ａ，４１ｂ  梯子部
４２  開状態保持部
５１  梯子部
５２  天板部
５３ａ，５３ｂ  支持板
５４  開閉連結部
５４ａ  開閉軸
５４ｂ  環装部
５４ｃ  キャップ部
５５  支持脚部
５５ａ  補強部
５５ｂ  接合部
５６  滑り止め部
５６ａ  孔部
５７  開状態保持部
５７ａ  保持材
５７ｂ  保持材軸着部
５７ｃ  保持材係着部
５８  手摺り部
５８ａ  脚部
５９  支持固定部材
６０  手摺り挿着部
６０ａ  固定孔
６１  梯子部側保持材係着部
６２  係着孔
６２ａ  係着部材
６３  雄ネジ部
６３ａ  止着部材挿通孔
６４  雄ネジ挿通孔
６５  調整ナット
６６  溝付きロックナット
６６ａ  溝部
６７  止着部材
６８  ワッシャ
７０  補助脚部
７０ａ  先鋭部
７０ｂ  ボルト挿通孔
７１  ボルト
７２  杭
７３  固定バンド
Ｘ  設置面
Ｙ  建造物
【図１】
2006312867.tif 000003
【図２】
2006312867.tif 000004
【図３】
2006312867.tif 000005
【図４】
2006312867.tif 000006
【図５】
2006312867.tif 000007
【図６】
2006312867.tif 000008
【図７】
2006312867.tif 000009
【図８】
2006312867.tif 000010
【図９】
2006312867.tif 000011
【図１０】
2006312867.tif 000012
【図１１】
2006312867.tif 000013
【図１２】
2006312867.tif 000014
【図１３】
2006312867.tif 000015
【図１４】
2006312867.tif 000016
【図１５】
2006312867.tif 000017
【図１６】
2006312867.tif 000018
【図１７】
2006312867.tif 000019
【図１８】
2006312867.tif 000020